(57)【要約】【課題】  店舗で提供される実際の商品と、この商品の使用状態を含む画像とに基づいて商品の購入を検討できるようにした画像生成システム及び非接触通信媒体、並びに、商品の販売方法、複合型店舗を提供する。【解決手段】  商品に対応させたタグ１０と、携帯端末２０と、画像生成装置３０とを含み、タグ１０は、商品の画像情報を記憶する機能と、携帯端末２０が接近してきたときに当該携帯端末２０に対して商品の画像情報を送信する機能とを有し、携帯端末２０は、タグ１０から送信された商品の画像情報を受信する機能と、受信した商品の画像情報を画像生成装置３０に出力する機能とを有する。また、画像生成装置３０は、携帯端末２０から出力された商品の画像情報に基づいて当該商品の使用状態を含む画像を生成する機能と、生成された商品の使用状態を含む画像を表示する機能とを有する。【選択図】  図１
2005275906.tif 000002
【特許請求の範囲】
【請求項１】
店舗で提供される１又は２以上の商品の使用状態を含む画像を生成する画像生成システムであって、
前記商品に対応させた非接触通信媒体と、データ通信装置と、画像生成装置とを含み、
前記非接触通信媒体は、
前記商品の画像情報を記憶する画像情報記憶手段と、
前記データ通信装置が接近してきたときに当該データ通信装置に対して前記商品の画像情報を送信する画像情報送信手段とを備え、
前記データ通信装置は、
前記非接触通信媒体から送信された前記商品の画像情報を受信する画像情報受信手段と、
受信した前記商品の画像情報を前記画像生成装置に出力する画像情報出力手段とを備え、
前記画像生成装置は、
前記データ通信装置から出力された前記商品の画像情報に基づいて当該商品の使用状態を含む画像を生成する画像生成手段と、
生成された前記商品の前記使用状態を含む画像を表示する画像表示手段とを備えたことを特徴とする画像生成システム。
【請求項２】
店舗で提供される１又は２以上の商品の使用状態を含む画像を生成する画像生成システムであって、
前記商品に対応させた非接触通信媒体と、データ通信装置と、所定のデータベースに接続する画像生成装置とを含み、
前記非接触通信媒体は、
前記商品の識別情報を記憶する識別情報記憶手段と、
前記データ通信装置が接近してきたときに当該データ通信装置に対して前記商品の識別情報を送信する識別情報送信手段とを備え、
前記データ通信装置は、
前記非接触通信媒体から送信された前記商品の識別情報を受信する識別情報受信手段と、
受信した前記商品の識別情報を前記画像生成装置に出力する識別情報出力手段とを備え、
前記画像生成装置は、
前記データ通信装置から出力された前記商品の識別情報に基づいて前記データベースから前記商品の画像情報を取得する画像情報取得手段と、
取得した前記商品の画像情報に基づいて当該商品の使用状態を含む画像を生成する画像生成手段と、
生成された前記商品の前記使用状態を含む画像を表示する画像表示手段とを備えたことを特徴とする画像生成システム。
【請求項３】
店舗で提供される１又は２以上の商品の使用状態を含む画像を生成する画像生成システムであって、
前記商品に対応させた非接触通信媒体と、データ通信装置と、所定のデータベースに接続する画像生成装置とを含み、
前記非接触通信媒体は、
前記商品の識別情報を記憶する識別情報記憶手段と、
前記データ通信装置が接近してきたときに当該データ通信装置に対して前記商品の識別情報を送信する識別情報送信手段とを備え、
前記データ通信装置は、
前記非接触通信媒体から送信された前記商品の識別情報を受信する識別情報受信手段と、
受信した前記商品の識別情報に基づいて前記データベースから前記商品の画像情報を取得する画像情報取得手段と、
取得した前記商品の画像情報を前記画像生成装置に出力する画像情報出力手段とを備え、
前記画像生成装置は、
前記データ通信装置から出力された前記商品の画像情報に基づいて当該商品の使用状態を含む画像を生成する画像生成手段と、
生成された前記商品の前記使用状態を含む画像を表示する画像表示手段とを備えたことを特徴とする画像生成システム。
【請求項４】
前記画像生成手段は、
前記商品の画像情報と、前記商品が実際に適用される適用対象の画像情報とに基づいて、前記商品の前記使用状態を含む画像を生成することを特徴とする請求項１から請求項３の何れか一項に記載の画像生成システム。
【請求項５】
前記データ通信装置は、
前記商品が実際に適用される適用対象の画像情報を記憶する適用対象画像情報記憶手段と、
前記適用対象の画像情報を前記画像生成装置に出力する適用対象画像出力手段とを備えたことを特徴とする請求項４に記載の画像生成システム。
【請求項６】
前記データ通信装置は、
前記商品が実際に適用される適用対象の画像情報を取得する適用対象画像情報取得手段を備えたことを特徴とする請求項５に記載の画像生成システム。
【請求項７】
前記非接触通信媒体は、
前記商品に関する文字情報を記憶する文字情報記憶手段と、
前記データ通信装置が接近してきたときに当該データ通信装置に対して前記商品に関する文字情報を送信する文字情報送信手段とを備え、
前記データ通信装置は、
前記非接触通信媒体から送信された前記商品に関する文字情報を受信する文字情報受信手段を備えたことを特徴とする請求項１から請求項６の何れか一項に記載の画像生成システム。
【請求項８】
前記データ通信装置は、
受信した前記商品に関する文字情報を表示する文字情報表示手段を備えたことを特徴とする請求項７に記載の画像生成システム。
【請求項９】
前記データ通信装置は、
受信した前記商品に関する文字情報を前記画像生成装置に出力する文字情報出力手段を備え、
前記画像生成装置は、
前記データ通信装置から出力された前記商品に関する文字情報を表示する文字情報表示手段を備えたことを特徴とする請求項７又は請求項８に記載の画像生成システム。
【請求項１０】
前記データ通信装置は、携帯端末であることを特徴とする請求項１から請求項９の何れか一項に記載の画像生成システム。
【請求項１１】
前記画像生成装置は、前記店舗内に設置されていることを特徴とする請求項１から請求項１０の何れか一項に記載の画像生成システム。
【請求項１２】
請求項１に記載の画像生成システムに適用可能な非接触通信媒体であって、
前記商品の画像情報を記憶する画像情報記憶手段と、
前記データ通信装置が接近してきたときに当該データ通信装置に対して前記商品の画像情報を送信する画像情報送信手段とを備えたことを特徴とする非接触通信媒体。
【請求項１３】
請求項２又は請求項３に記載の画像生成システムに適用可能な非接触通信媒体であって、
前記商品の識別情報を記憶する識別情報記憶手段と、
前記データ通信装置が接近してきたときに当該データ通信装置に対して前記商品の識別情報を送信する識別情報送信手段とを備えたことを特徴とする非接触通信媒体。
【請求項１４】
１又は２以上の商品を提供する店舗での商品の販売方法であって、
請求項１２に記載の非接触通信媒体又は、請求項１３に記載の非接触通信媒体を任意の商品に対応させると共に、
対応した前記非接触通信媒体に前記任意の商品の識別情報を記憶させることを特徴とする商品の販売方法。
【請求項１５】
異種類の商品を提供する複数の店舗が集まった複合型店舗であって、
前記複合型店舗を構成する複数の店舗で提供される前記商品には非接触通信媒体が対応しており、
前記非接触通信媒体は、
請求項１２に記載の非接触通信媒体又は、請求項１３に記載の非接触通信媒体であることを特徴とする複合型店舗。
【発明の詳細な説明】
【技術分野】
【０００１】
本発明は、画像生成システム及び非接触通信媒体、並びに、商品の販売方法、複合型店舗に関し、例えば、ヘアースタイル、メイク、洋服、アクセサリー（貴金属類）、鞄、靴などを需要者が実際に店舗内で見ながら、「それらが需要者に似合うかどうか」、或いは「それらが調和良く組み合わさるかどうか」を簡単に確認できるようにしたものである。
【背景技術】
【０００２】
従来、ヘアースタイル、メイク、洋服、アクセサリー（貴金属類）、鞄、靴などの美容に関連するサービスや物品（以下、「商品」という。）が提供される現場では、消費者の商品選択はアドバイザーからのアドバイスなどによって左右されがちであり、消費者は必ずしも自分の好みを選択できない場合がある。しかしながら、上記商品は消費者の感性や嗜好に直接関わってくるものであり、このような商品は、消費者の要望に沿った形で提供される必要性がある。
【０００３】
このような課題に対して、「ユーザの要求に係るものを取り込み、次に個別情報即ちユーザ自体を画像として取り込み、このユーザの要求に係るものの形状に応じて、大きさ、方向を調整しながらユーザ自らのデータを取り込み、重ね合わせるなどして２次元、又は３次元的に合成画像を作成し、それに基づいてユーザが現実の試着感覚を楽しむことができるシステム」がすでに提案されている（例えば、特許文献１参照。）。このシステムにおける合成画像の用途は、アドバイザーからのアドバイスや、タレントのヘアースタイルとの比較など、多様である。
【特許文献１】特開２００１−２８３０８５号公報
【発明の開示】
【発明が解決しようとする課題】
【０００４】
ところで、上記システムは、所謂バーチャルな店舗を前提としたシステムであって、物品やサービスの需要者が現実世界の店舗とは別の場所（自宅等）にいながらにして物品やサービスを選択する際に物品やサービスの使用状態にできるだけ近い状態を、その需要者に認識させるための発明である。従って、当該システムには、現実の物品やサービスを登場させるという発想がなく、実際の商品等は購入後に或いは店舗に出向いたときに需要者が確認するということが暗黙の前提となっている。
【０００５】
しかしながら、実際の人間の物品やサービスの選択手順は、需要者が店舗に出向いて現実の物品やサービスを確認することが普通であり、上記システムは、物品やサービスを選択する際の実際の人間の選択手順とは異質なものである。
本発明は、上記事情に鑑みてなされたものであり、店舗で提供される実際の商品と、この商品の使用状態を含む画像とに基づいて商品の購入を検討できるようにした画像生成システム及び非接触通信媒体、並びに、商品の販売方法、複合型店舗の提供を目的とする。
【課題を解決するための手段】
【０００６】
〔発明１〕
上記目的を達成するために、発明１の画像生成システムは、店舗で提供される１又は２以上の商品の使用状態を含む画像を生成する画像生成システムであって、前記商品に対応させた非接触通信媒体と、データ通信装置と、画像生成装置とを含み、前記非接触通信媒体は、前記商品の画像情報を記憶する画像情報記憶手段と、前記データ通信装置が接近してきたときに当該データ通信装置に対して前記商品の画像情報を送信する画像情報送信手段とを備え、前記データ通信装置は、前記非接触通信媒体から送信された前記商品の画像情報を受信する画像情報受信手段と、受信した前記商品の画像情報を前記画像生成装置に出力する画像情報出力手段とを備え、前記画像生成装置は、前記データ通信装置から出力された前記商品の画像情報に基づいて当該商品の使用状態を含む画像を生成する画像生成手段と、生成された前記商品の前記使用状態を含む画像を表示する画像表示手段とを備えたことを特徴としている。
【０００７】
このような構成であれば、非接触通信媒体は、画像情報記憶手段によって前記商品の画像情報を記憶することが可能であり、画像情報送信手段によって、データ通信装置が接近してきたときに当該データ通信装置に対して前記商品の画像情報を送信することが可能である。
また、データ通信装置は、画像情報受信手段によって、非接触通信媒体から送信された前記商品の画像情報を受信することが可能であり、画像情報出力手段によって、受信した前記商品の画像情報を画像生成装置に出力することが可能である。さらに、画像生成装置は、画像生成手段によって、データ通信装置から出力された前記商品の画像情報に基づいて当該商品の使用状態を含む画像を生成することが可能であり、画像表示手段によって、生成された前記商品の前記使用状態を含む画像を表示することが可能である。
【０００８】
ここで、本発明の商品とは、物品とサービスとの両方を含むものである。物品としては、例えば洋服、アクセサリー（貴金属類）、鞄、靴などの物品が挙げられる。また、サービスとしては、例えばヘアースタイル、メイクなどのサービスが挙げられる。さらに、本発明の「商品に対応させた非接触通信媒体」とは、「商品に直接、又は間接的に添えられた非接触通信媒体」のことを意味している。「商品に間接的に添えられた」状態とは、商品がアクセサリーである場合には、例えば「アクセサリーの収納ケースに貼られた」状態や、「アクセサリーの値札等に取り付けられた」状態等のことである。また、商品がネイルメイク等のサービスである場合には、例えば「爪型モデルの収納ケースに取り付けられた」状態のことである。この爪方モデルには、商品であるネイルメイクが施されている。
【０００９】
発明１の画像生成システムによれば、商品の購買を予定する者（以下、「需要者」という。）は、店舗で提供される複数の商品を実際に目で見て、或いは手で触れて、それらの中から気に入った商品の画像情報だけを取得することが可能である。そして、需要者は、店舗で提供される実際の商品と、この商品の使用状態を含む画像とに基づいて商品の購入を検討することができる。
【００１０】
なお、非接触通信媒体としては、例えば非接触識別タグ等がある。非接触識別タグとは、ＲＦＩＤ（Ｒａｄｉｏ  Ｆｒｅｑｕｅｎｃｙ  ＩＤｅｎｔｉｆｉｃａｔｉｏｎ）システムにおいて用いられるもので、一般にデータキャリアなどとも呼ばれている。その形状には、ラベル型、カード型、コイン型、スティック型等の様々なものがある。これらの形状はアプリケーションと密接な関係があり、例えば、人が持つものは、カード形あるいはラベル形をキーホルダ形状に加工したものがある。また、半導体のキャリアＩＤとしてはスティック形が主流となっている。なお、リネン関連の服に縫い込まれるものはコイン形が主流となっている。また、カード型などにおいては、表示部を備えるものもある。
【００１１】
また、非接触識別タグは、データ読取専用、あるいは、データの読み書きが自由に行える記憶領域を備えており、更に、アンテナ側からの非接触電力伝送により電池が無くても動作可能なものがある。
また、ＲＦＩＤシステムとは、媒体に電波・電磁波を用いたＩＤシステムであり、非接触識別タグが、（１）  携帯容易な大きさであること、（２）  情報を電子回路に記憶すること、（３）  非接触通信により交信することの３つの特徴を備えている。従って、ＲＦＩＤシステムは、非接触識別タグを持つ人・物・車などと、その情報とを一元化させる目的で使用される。つまり、人・物・車がある場所で随時、必要な情報を取り出すことができ、かつ必要に応じて新たな情報を書き込むことができる。
【００１２】
また、ＲＦＩＤシステムの代表的な種類としては、主に、交流磁界によるコイルの相互誘導を利用して非接触識別タグとの交信を行う電磁結合方式、  主に、２５０ｋＨｚ以下、あるいは、１３．５６ＭＨｚ帯の長・中波帯の電磁波を利用して非接触識別タグとの交信を行う電磁誘導方式、リーダ／ライタ側のアンテナと非接触識別タグ間で、２．４５ＧＨｚ帯のマイクロ波によりデータ交信を行うマイクロ波方式、光の発生源としてＬＥＤを、受光器としてはフォトトランジスタ等を配置し、光の空間伝送を利用して非接触識別タグとの交信を行う光方式の４つがある。
【００１３】
また、アクセス方式は、主に、シングルアクセスモード、ＦＩＦＯ（Ｆｉｒｓｔ  Ｉｎ  Ｆｉｒｓｔ  Ｏｕｔ）アクセスモード、マルチアクセスモード、セレクティブアクセスモードの４つがある。
シングルアクセスモードは、アンテナ交信領域内に存在する非接触識別タグは１個であり、複数の非接触識別タグがアンテナの交信領域内にあると交信エラーとなり、交信できなくなる。
【００１４】
ＦＩＦＯアクセスモードは、アンテナの交信領域内に順番に入ってくる非接触識別タグと順番に交信することができる。交信を終了した非接触識別タグにはアクセス禁止処理を行うので、交信終了したタグがアンテナの交信領域内に複数存在しても、新たなタグが１個だけアンテナの交信領域内に入ってくれば交信ができる。同時に非接触識別タグが交信領域内にはいると、交信エラーとなり交信できなくなる。アクセス禁止された非接触識別タグは、交信領域外にでると再び交信が可能となる。
【００１５】
マルチアクセスモードは、アンテナの交信領域内に複数の非接触識別タグが存在しても、全ての非接触識別タグと交信ができる。
セレクティブアクセスモードは、交信領域内にある複数の非接触識別タグのうち、特定の非接触識別タグと交信ができるもので、交信領域内の非接触識別タグに番号を割り当てるコマンドと、割り当てた番号をもとに、特定の非接触識別タグとの交信を行うコマンドで実現される。
【００１６】
なお、シングルアクセスモードの非接触識別タグを本発明の非接触通信媒体に適用する場合には、非接触識別タグの通信可能な範囲を狭めておくことで、他の非接触識別タグとの衝突による交信エラーを防ぐことが可能である。
【００１７】
〔発明２〕
更に、発明２の画像生成システムは、店舗で提供される１又は２以上の商品の使用状態を含む画像を生成する画像生成システムであって、前記商品に対応させた非接触通信媒体と、データ通信装置と、所定のデータベースに接続する画像生成装置とを含み、前記非接触通信媒体は、前記商品の識別情報を記憶する識別情報記憶手段と、前記データ通信装置が接近してきたときに当該データ通信装置に対して前記商品の識別情報を送信する識別情報送信手段とを備え、前記データ通信装置は、前記非接触通信媒体から送信された前記商品の識別情報を受信する識別情報受信手段と、受信した前記商品の識別情報を前記画像生成装置に出力する識別情報出力手段とを備え、前記画像生成装置は、前記データ通信装置から出力された前記商品の識別情報に基づいて前記データベースから前記商品の画像情報を取得する画像情報取得手段と、取得した前記商品の画像情報に基づいて当該商品の使用状態を含む画像を生成する画像生成手段と、生成された前記商品の前記使用状態を含む画像を表示する画像表示手段とを備えたことを特徴としている。
【００１８】
このような構成であれば、非接触通信媒体は、識別情報記憶手段によって前記商品の識別情報を記憶することが可能であり、識別情報送信手段によって、データ通信装置が接近してきたときに当該データ通信装置に対して前記商品の識別情報を送信することが可能である。また、データ通信装置は、識別情報受信手段によって、非接触通信媒体から送信された前記商品の識別情報を受信することが可能であり、識別情報出力手段によって、受信した前記商品の識別情報を画像生成装置に出力することが可能である。
【００１９】
さらに、画像生成装置は、画像情報取得手段によって、前記データ通信装置から出力された前記商品の識別情報に基づいて所定のデータベースから前記商品の画像情報を取得することが可能である。また、画像生成手段によって、取得した前記商品の画像情報に基づいて当該商品の使用状態を含む画像を生成することが可能であり、画像表示手段によって、生成された前記商品の前記使用状態を含む画像を表示することが可能である。
【００２０】
ここで、所定のデータベースとは、例えば通信回線を介して画像生成装置と接続されるネットワークサーバ、又は、画像生成装置での読み込み可能な光ディスク等のことである。光ディスクは、例えば、商品の画像情報を記録した状態で、商品を販売する店舗等から有償、又は無償で頒布することを想定する。
発明２の画像生成システムによれば、需要者は、店舗で提供される複数の商品を実際に目で見て、或いは手で触れて、それらの中から気に入った商品の画像情報だけを取得することが可能である。そして、需要者は、店舗で提供される実際の商品と、この商品の使用状態を含む画像とに基づいて商品の購入を検討することができる。第１の発明と比べて、非接触通信媒体に記憶させる情報量を少なくすることができるので、非接触通信媒体とデータ通信装置との間で情報伝達に要する時間を短縮することが可能である。
【００２１】
〔発明３〕
更に、発明３の画像生成システムは、店舗で提供される１又は２以上の商品の使用状態を含む画像を生成する画像生成システムであって、前記商品に対応させた非接触通信媒体と、データ通信装置と、所定のデータベースに接続する画像生成装置とを含み、前記非接触通信媒体は、前記商品の識別情報を記憶する識別情報記憶手段と、前記データ通信装置が接近してきたときに当該データ通信装置に対して前記商品の識別情報を送信する識別情報送信手段とを備え、前記データ通信装置は、前記非接触通信媒体から送信された前記商品の識別情報を受信する識別情報受信手段と、受信した前記商品の識別情報に基づいて前記データベースから前記商品の画像情報を取得する画像情報取得手段と、取得した前記商品の画像情報を前記画像生成装置に出力する画像情報出力手段とを備え、前記画像生成装置は、前記データ通信装置から出力された前記商品の画像情報に基づいて当該商品の使用状態を含む画像を生成する画像生成手段と、生成された前記商品の前記使用状態を含む画像を表示する画像表示手段とを備えたことを特徴としている。
【００２２】
このような構成であれば、非接触通信媒体は、識別情報記憶手段によって前記商品の識別情報を記憶することが可能であり、識別情報送信手段によって、データ通信装置が接近してきたときに当該データ通信装置に対して前記商品の識別情報を送信することが可能である。また、データ通信装置は、識別情報受信手段によって、非接触通信媒体から送信された前記商品の識別情報を受信することが可能であり、画像情報取得手段によって、受信した前記商品の識別情報に基づいて所定のデータベースから前記商品の画像情報を取得することが可能であり、画像情報出力手段によって、取得した前記商品の画像情報を前記画像生成装置に出力することが可能である。さらに、画像生成装置は、画像生成手段によって、データ通信装置から出力された前記商品の画像情報に基づいて当該商品の使用状態を含む画像を生成することが可能であり、画像表示手段によって、生成された前記商品の前記使用状態を含む画像を表示することが可能である。
【００２３】
発明３の画像生成システムによれば、発明１、発明２と同様に、需要者は、店舗で提供される複数の商品の中から気に入った商品の画像情報だけを取得することが可能である。そして、需要者は、店舗で提供される実際の商品と、この商品の使用状態を含む画像とに基づいて商品の購入を検討することができる。第１の発明と比べて、非接触通信媒体に記憶させる情報量を少なくすることができるので、非接触通信媒体とデータ通信装置との間で情報伝達に要する時間を短縮することが可能である。
【００２４】
〔発明４〕
更に、発明４の画像生成システムは、発明１から発明３の何れか一の画像生成システムにおいて、前記画像生成手段は、前記商品の画像情報と、前記商品が実際に適用される適用対象の画像情報とに基づいて、前記商品の前記使用状態を含む画像を生成することを特徴としている。このような構成であれば、画像生成手段によって、データ通信装置から出力された前記商品の画像情報と、前記商品が実際に適用される適用対象の画像情報とに基づいて、前記商品の前記使用状態を含む画像を生成することが可能である。
【００２５】
ここで、前記商品が実際に適用される適用対象とは、商品が例えば洋服、アクセサリー（貴金属類）、鞄、靴などの物品や、ヘアースタイル、メイクなどの美容サービスである場合には、その洋服等を着る人である。また、商品が例えば家具である場合には、その家具が配置される家屋等である。
【００２６】
〔発明５〕
更に、発明５の画像生成システムは、発明４の画像生成システムにおいて、前記データ通信装置は、前記商品が実際に適用される適用対象の画像情報を記憶する適用対象画像情報記憶手段と、前記適用対象の画像情報を前記画像生成装置に出力する適用対象画像出力手段とを備えたことを特徴としている。
【００２７】
このような構成であれば、適用対象画像情報記憶手段によって、前記商品が実際に適用される適用対象の画像情報を記憶することが可能であり、適用対象画像出力手段によって前記適用対象の画像情報を前記画像生成装置に出力することが可能である。
上述した発明４又は発明５の画像生成システムによれば、発明１から発明３の何れか一の画像生成システムと比べて、商品の使用状態を含む画像を実際の状態により近づけることができる。例えば、商品がシャツとズボンの場合には、画像生成手段にシャツとズボンの画像情報と、需要者の顔、身長、体のラインなど容姿に関する画像情報とを取り込んで、需要者がシャツとズボンとを試着した際の合成画像を生成する。このような構成によれば、需要者は、気に入ったシャツとズボンとを自身が試着した際の姿を、より現実性を持ってイメージすることが可能であり、その洋服が自分に似合うかどうかをより客観的に判断することができる。
【００２８】
また、例えば、商品が家具の場合には、画像生成手段に家具の画像情報と、この家具を配置したい需要者の部屋に関する画像情報とを取り込んで、この部屋に家具を配置した場合の合成画像を生成する。このような構成によれば、需要者は、気に入った家具を自分の部屋に置いた状態を、より現実性を持ってイメージすることが可能である。また、自分の部屋のサイズと家具のサイズとをいちいち比較しなくても、その家具が自分の部屋に収容可能か否かを合成画像から簡単に判断することが可能である。
【００２９】
〔発明６〕
更に、発明６の画像生成システムは、発明５の画像生成システムにおいて、前記データ通信装置は、前記商品が実際に適用される適用対象の画像情報を取得する適用対象画像情報取得手段を備えたことを特徴としている。このような構成であれば、適用対象画像情報取得手段によって、前記商品が実際に適用される適用対象の画像情報を取得することが可能である。ここで、適用対象画像情報取得手段は、例えば、ＣＣＤカメラや、ＣＭＯＳセンサ等の撮像装置である。
【００３０】
発明６の画像生成システムによれば、例えば、データ通信装置に組み込まれたＣＭＯＳセンサ等で自身の画像を撮像することにより、このデータ通信装置に自身の容姿等の個人情報を直接取り込むことができる。
【００３１】
〔発明７〕
更に、発明７の画像生成システムは、発明１から発明６の何れか一の画像生成システムにおいて、前記非接触通信媒体は、前記商品に関する文字情報を記憶する文字情報記憶手段と、前記データ通信装置が接近してきたときに当該データ通信装置に対して前記商品に関する文字情報を送信する文字情報送信手段とを備え、前記データ通信装置は、前記非接触通信媒体から送信された前記商品に関する文字情報を受信する文字情報受信手段を備えたことを特徴としている。
【００３２】
このような構成であれば、非接触通信媒体は、文字情報記憶手段によって前記商品に関する文字情報を記憶することが可能であり、文字情報送信手段によって、データ通信装置が接近してきたときに当該データ通信装置に対して前記商品に関する文字情報を送信することが可能である。また、データ通信装置は、文字情報受信手段によって、非接触通信媒体から送信された前記商品に関する文字情報を受信することが可能である。
【００３３】
〔発明８〕
更に、発明８の画像生成システムは、発明７の画像生成システムにおいて、前記データ通信装置は、受信した前記商品に関する文字情報を表示する文字情報表示手段を備えたことを特徴としている。このような構成であれば、データ通信装置は、文字情報表示手段によって、受信した前記商品に関する文字情報を表示することが可能である。
【００３４】
〔発明９〕
更に、発明９の画像生成システムは、発明７又は発明８の画像生成システムにおいて、前記データ通信装置は、受信した前記商品に関する文字情報を前記画像生成装置に出力する文字情報出力手段を備え、前記画像生成装置は、前記データ通信装置から出力された前記商品に関する文字情報を表示する文字情報表示手段を備えたことを特徴としている。
【００３５】
このような構成であれば、データ通信装置は、文字情報出力手段によって、受信した前記商品に関する文字情報を前記画像生成装置に出力することが可能である。また、画像生成装置は、文字情報表示手段によって、データ通信装置から出力された前記商品に関する文字情報を表示することが可能である。
ここで、商品に関する文字情報とは、例えば商品の名称、ブランド、型番、特徴（アピール点）、材質、取り扱い上の注意点（選択方法、耐熱温度など）、サイズ、値段等のことである。
【００３６】
上述した発明７から発明９の何れか一の画像生成システムによれば、需要者は商品の使用状態を含む画像と共に、この商品の商品説明や値段等の情報も取得することができ、これら画像及び文字情報に基づいて商品の購入を検討することができる。
【００３７】
〔発明１０〕
更に、発明１０の画像生成システムは、発明１から発明９の何れか一の画像生成システムにおいて、前記データ通信装置は、携帯端末であることを特徴としている。ここで、携帯端末としては、例えば通信媒体に記録される画像情報を読出し、書き換え可能なカード状の通信装置や、このような機能を持った携帯電話、ＰＤＡ等が挙げられる。発明１０の画像生成システムによれば、需要者は携帯端末を持ち運び、複数の商品の中から任意の商品に対応した非接触通信媒体に携帯端末を近づけることで、この商品の画像情報又は識別情報を携帯端末に取り込むことができる。
【００３８】
〔発明１１〕
更に、発明１１の画像生成システムは、発明１から発明１０の何れか一の画像生成システムにおいて、前記画像生成装置は、前記店舗内に設置されていることを特徴としている。発明１１の画像生成システムによれば、需要者は、商品の使用状態を含む画像を店舗内で見ることができ、この画像と店舗で提供される実際の商品とに基づいて商品の購入を検討することができる。
【００３９】
〔発明１２〕
更に、発明１２の非接触通信媒体は、発明１の画像生成システムに適用可能な非接触通信媒体であって、前記商品の画像情報を記憶する画像情報記憶手段と、前記データ通信装置が接近してきたときに当該データ通信装置に対して前記商品の画像情報を送信する画像情報送信手段とを備えたことを特徴としている。発明１２は、発明１に適用可能な非接触通信媒体であり、その作用効果は発明１と同様である。
【００４０】
〔発明１３〕
更に、発明１３の非接触通信媒体は、発明２又は発明３の画像生成システムに適用可能な非接触通信媒体であって、前記商品の識別情報を記憶する識別情報記憶手段と、前記データ通信装置が接近してきたときに当該データ通信装置に対して前記商品の識別情報を送信する識別情報送信手段とを備えたことを特徴としている。発明１３は、発明１に適用可能な非接触通信媒体であり、その作用効果は発明２と同様である。
【００４１】
〔発明１４〕
更に、発明１４の商品の販売方法は、１又は２以上の商品を提供する店舗での商品の販売方法であって、発明１２の非接触通信媒体又は、発明１３の非接触通信媒体を任意の商品に対応させると共に、対応した前記非接触通信媒体に前記任意の商品の識別情報を記憶させることを特徴としている。このような構成であれば、発明１、発明２、発明３の画像生成システムの何れか一を商品の販売方法に応用することが可能である。
【００４２】
発明１４の商品の販売方法によれば、需要者は、店舗で提供される複数の商品を実際に目で見て、或いは手で触れて、それらの中から気に入った商品の画像情報だけを取得することが可能である。そして、需要者は、店舗で提供される実際の商品と、この商品の使用状態を含む画像とに基づいて商品の購入を検討することができる。一方、供給者（店舗）は、実際の人間の商品の選択手順に即して、需要者に商品の購入を勧めることができる。
【００４３】
〔発明１５〕
更に、発明１５の複合型店舗は、異種類の商品を提供する複数の店舗が集まった複合型店舗であって、前記複合型店舗を構成する複数の店舗で提供される前記商品には非接触通信媒体が対応しており、前記非接触通信媒体は、発明１２の非接触通信媒体又は、発明１３の非接触通信媒体であることを特徴としている。このような構成であれば、発明１、発明２、発明３の画像生成システムの何れか一を、異種類の商品を提供する複数の店舗が集まった複合型店舗に応用することが可能である。
【００４４】
発明１５の複合型店舗によれば、需要者は、複数の店舗で提供される異種類の商品（例えば、メガネ店で提供されるメガネ、サングラスや、洋服店で提供されるシャツ、ズボンや、靴店で提供される靴など）を実際に目で見て、或いは手で触れて、それらの中から気に入った商品の画像情報だけを取得することが可能である。そして、需要者は、複合型店舗を構成する複数の店舗で提供される実際の商品と、これら商品の使用状態を含む画像とに基づいて商品の購入を検討することができる。一方、供給者（店舗）は、実際の人間の商品の選択手順に即して、需要者に商品の購入を勧めることができる。
【発明を実施するための最良の形態】
【００４５】
以下、図面を参照しながら、本発明の実施形態に係る画像生成システム及び非接触通信媒体、並びに、商品の販売方法、複合型店舗について説明する
（１）第１実施形態
図１は本発明の第１実施形態に係る画像生成システム１００の構成例を示すブロック図である。この画像生成システム１００は、例えば異種類の商品を提供する複数の店舗が集まった複合型店舗で販売されている多数の商品の中から、需要者が１個又は２個以上の商品を選択し、選択した商品を需要者があたかも試着したかのような合成画像（言い換えれば、仮想空間での試着画像）を生成するシステムである。図１に示すように、この画像生成システム１００は、非接触識別タグ（以下、単に「タグ」という。）１０と、携帯端末２０と、画像生成装置３０と、を含んだ構成となっている。
【００４６】
タグ１０は、例えば交流磁界によるコイルの相互誘導を利用して携帯端末２０との交信を行う電磁結合方式が採られ、そのアクセス方式は例えばシングルアクセスモードである。図１に示すように、このタグ１０は、例えば、文字情報記憶部１１と、画像情報記憶部１２と、送信部１３等とから構成されている。文字情報記憶部１１は、当該タグ１０に対応した商品に関する文字情報を格納する機能を有する。ここで、商品に関する文字情報とは、例えば商品の名称、ブランド、型番、特徴（アピール点）、材質、取り扱い上の注意点（選択方法、耐熱温度など）、サイズ、値段等のことである。また、画像情報記憶部１２は、当該タグ１０に対応した商品の画像情報を格納する機能を有する。さらに、送信部１３は、当該タグ１０に携帯端末２０が接近してきたときに、文字情報記憶部１１に格納された文字情報と、画像情報記憶部１２に格納された画像情報とを、この携帯端末２０に送信する機能を有する。このタグ１０では、例えば、文字情報記憶部１１及び画像情報記憶部１２はフラッシュメモリであり、同一チップ上に形成されている。
【００４７】
携帯端末２０は、例えば、タグ１０に対して読出し及び書き込み機能（以下、「Ｒ／Ｗ機能」という。）を備えた携帯電話や、Ｒ／Ｗ機能を備えたカード、又は、Ｒ／Ｗ機能を備えたＰＤＡである。ここでは、携帯端末２０は、例えばＲ／Ｗ機能を備えた携帯電話である。図１に示すように、この携帯端末２０は、例えば、受信部２１と、文字情報記憶部２２と、画像情報記憶部２３と、モニタ部２４と、個人情報記憶部２５と、出力部２６と、ＣＰＵ（ｃｅｎｔｒａｌ  ｐｒｏｃｅｓｓｉｎｇ  ｕｎｉｔ）２７及びＲＡＭ（ｒａｎｄｏｍ  ａｃｃｅｓｓ  ｍｅｍｏｒｙ）２８等とから構成されている。
【００４８】
受信部２１は、タグ１０から送信されてくる文字情報と画像情報とを受信する機能を有する。また、文字情報記憶部２２は、タグ１０から送信されてくる商品に関する情報を格納する機能を有する。画像情報記憶部２３は、タグ１０から送信されてくる商品の画像情報を格納する機能を有する。モニタ部２４は、例えばＬＣＤ（ｌｉｑｕｉｄ  ｃｒｙｓｔａｌ  ｄｉｓｐｌａｙ）である。このモニタ部２４に、例えば、画像情報記憶部２３にその画像情報が格納された商品の名称や、型番等が表示される。
【００４９】
個人情報記憶部２５は、この携帯端末２０を持ち歩くユーザ（ここでは、商品の購買を予定する者を意味する。以下、「需要者」という。）の個人情報を格納する機能を有する。個人情報とは、例えば、需要者の顔、身長、体のラインなど容姿に関する画像情報や、需要者が住む家屋のレイアウト情報等である。ここでは、個人情報記憶部２５に格納される個人情報は、例えば需要者の容姿に関する画像情報である。
【００５０】
ＣＰＵ２７は、制御プログラムに基づいて演算及び携帯端末２０全体を制御する機能を有する。また、ＲＡＭ２８は、所定領域にあらかじめＣＰＵ２７の制御プログラム等を格納している。出力部２６は、インターフェース（以下、「Ｉ／Ｆ」という。）回路を含み、画像生成装置３０にデータを送信する機能を有する。ＣＰＵ２７は、データを転送するための信号線を介して、受信部２１と、文字情報記憶部２２と、画像情報記憶部２３と、モニタ部２４と、個人情報記憶部２５と、出力部２６とそれぞれ相互にかつデータ授受可能に接続されている。文字情報記憶部２２に格納された文字情報と、画像情報記憶部２３に格納された画像情報と、個人情報記憶部２５に格納された個人情報は全て、ＣＰＵ２７からの制御信号を受けて各記憶部２２，２３，２５から出力部２６へ送られ、この出力部２６から画像生成装置３０に向けて出力される。
【００５１】
画像生成装置３０は、携帯端末２０の出力部２６から出力される商品の画像情報と、個人情報とに基づいて、商品の試着画像を生成する装置である。図１に示すように、この画像生成装置３０は、入力部３１と、モニタ部３２と、ＣＰＵ３３と、ＲＡＭ３４等とから構成されている。入力部３１は、Ｉ／Ｆ回路を含み、携帯端末２０から出力された商品の文字情報と、画像情報と、個人情報とを受け取る機能を有する。また、モニタ部３２は、例えばＬＣＤである。さらに、ＣＰＵ３３は、制御プログラムに基づいて演算及び画像生成装置３０全体を制御する機能を有する。ＲＡＭ３４は、所定領域にあらかじめＣＰＵ３３の制御プログラム等を格納している。
【００５２】
ＣＰＵ３３は、データを転送するための信号線を介して、入力部３１及びモニタ部３２とそれぞれ相互にかつデータ授受可能に接続されている。このＣＰＵ３３は、携帯端末２０から出力された商品の画像情報と、個人情報とを取り込み、この取り込んだ画像情報と個人情報とに基づいて、需要者が商品を試着した際の試着画像を合成画像技術により生成する機能を有する。また、このＣＰＵ３３は、生成した試着画像をモニタ部３２に表示させる機能を有する。
【００５３】
次に、上述した画像生成システム１００を用いて、商品を販売する方法について説明する。図２及び図３は、画像生成システム１００の運用例を示す概念図（その１、２）である。ここでは、画像生成システム１００を用いた商品の販売方法を、メガネ店や、洋服店、靴店など異種類の商品を取り扱う複数の専門店がテナントとして入っている複合型店舗に適用する場合について説明する。
【００５４】
図２に示すように、各テナントの従業員（以下、「店員」という。）は、その店で取り扱う商品にタグ１０を１個１個取り付ける。ここで、サングラスのように、商品にタグ１０を直接取り付けることが難しい場合には、商品を収納するケースＣや、商品を並べた陳列棚Ｓにタグ１０を貼り付けても良い。また、同一種類の商品を多数扱う店舗では、図３に示すように、同一型番の複数の商品に対して、この型番に対応させてタグ１０を１個用意しても良い。このようなタグ１０の取り付けと同時に、または前後して、店員は、商品に対応させたタグ１０に当該商品に関する文字情報と、画像情報とを記憶させる。この作業は、Ｒ／Ｗ機能を有するデータ通信装置を用いて行う。この作業により、商品に関する文字情報は文字情報記憶部１１（図１参照。）に格納され、商品の画像情報は画像情報記憶部１２（図１参照。）に記憶される。
【００５５】
一方、需要者は、複合型店舗にショッピングに行く前に、自分の顔、身長、体のラインなど容姿に関する画像情報（個人情報）を携帯端末２０に入力しておく。また、このとき、需要者は、自身が所有する服やアクセサリーを身に付けた状態で、その姿をデジタルカメラ等で撮影する。そして、この撮影した画像情報を個人情報として携帯端末２０に入力しておいても良い。
【００５６】
図４は需要者による画像生成の方法を示すフローチャートである。図４のステップＳ１で、上述したように、需要者は自分の個人情報をパソコン等を用いて携帯端末２０に入力する。入力された個人情報は個人情報記憶部２５（図１参照。）に格納される。
次に、ステップＳ２で、需要者は自分の個人情報を記憶させた携帯端末２０を持って複合型店舗に行く。そして、ステップ３で、複合型店舗内で商品を実際に目で見て、或いは手で触れて、それらの中から気に入った商品を選ぶ。ここでは、需要者は、複合型店舗内のメガネ店に行き、陳列された多数のメガネ、サングラスの中から特定のサングラスを選択したものとする。次に、図４のステップＳ４に進む。
【００５７】
このステップＳ４では、図３に示すように、需要者は選んだサングラスに対応したタグ１０に携帯端末２０を近づけて、このサングラスに関する文字情報と、画像情報とを携帯端末２０に取り込む。これにより、選んだサングラスの文字情報が携帯端末２０の文字情報記憶部２２（図１参照。）に格納され、その画像情報が画像情報記憶部２３（図１参照。）に格納される。次に、図４のステップＳ５へ進む。
【００５８】
このステップＳ５では、需要者は、上記特定のサングラス以外に、他の商品を見るか否かを選択する。ここで、他の商品とは、メガネ店内に陳列された他のサングラスでも良いし、メガネ店以外の商品、例えば洋服店のシャツでも良い。需要者が「複合型店舗内のメガネ店を出て、同複合型店舗内の洋服店でシャツを選びたい」と思った場合には、ステップＳ３へ戻る。また、需要者が「もう商品の選択は十分だ」と思った場合には、図４のステップＳ５へ進む。このようにして、図４のステップＳ３〜Ｓ５を１回、又は２回以上行って、１個又は２個以上の商品の文字情報と画像情報とを取得する。
【００５９】
ここでは、例えば、図４のステップＳ３〜Ｓ５を４回行って、図２に示したサングラスと、シャツと、ズボンと、靴のそれぞれの文字情報及び画像情報とを携帯端末２０に取り込む。取り込んだ商品のリストは、例えば文字情報として携帯端末２０のモニタ部２４（図１参照。）に表示することが可能である。次に、図４のステップＳ６へ進む。
このステップＳ６では、需要者は、複合型店舗内の画像生成装置３０が設置されたコーナへ行く。そして、図４のステップＳ７で、携帯端末２０を画像生成装置３０にセットして、この携帯端末２０から画像生成装置３０に、携帯端末２０に取り込んだ文字情報及び画像情報、個人情報等を出力させる。この出力された情報は、画像生成装置３０の入力部３１（図１参照。）からＣＰＵ３３（図１参照。）に送られる。
【００６０】
そして、ＣＰＵ３３は、需要者が選んだ全ての商品の画像情報と、需要者の容姿等の個人情報とに基づいて、これら全ての商品を需要者が試着した状態の試着画像を画像合成技術により生成し、図２に示すように、モニタ部３２に表示させる。図４のステップＳ８では、需要者は、このモニタ部３２に表示された試着画像を見て、気に入った商品の購入を検討する。この試着画像は、例えば、図２に示すような正面だけでなく、例えば横方向、後ろ方向、斜め方向等、正面に対して角度をつけた状態で表示させることも可能である。
【００６１】
また、このモニタ部３２には、各商品の名称、ブランド、型番、特徴（アピール点）、材質、取り扱い上の注意点（選択方法、耐熱温度など）、サイズ、値段等も表示させることが可能なので、これら文字情報も商品購入の判断材料とすることができる。例えば、図２に示すように、モニタ部３２にはカーソルが表示され、需要者はこのカーソルを例えばズボンに合わせることで、このズボンの文字情報をモニタ部３２に画面表示させることが可能である。
【００６２】
このように、本発明の第１実施形態に係る画像生成システム１００によれば、タグ１０は、商品の画像情報と文字情報とを記憶することが可能であり、携帯端末２０が接近してきたときにこの携帯端末２０に対して商品の画像情報と文字情報とを送信することが可能である。携帯端末２０は、タグ１０から送信された商品の画像情報と文字情報とを受信することが可能であり、受信した商品の画像情報と文字情報とを画像生成装置３０に出力することが可能である。
【００６３】
また、携帯端末２０は、容姿等の個人情報を記憶しておき、この個人情報を画像生成装置３０に出力することが可能である。画像生成装置３０は、携帯端末２０から出力された商品の画像情報と、容姿等の個人情報とに基づいて試着画像を生成することが可能であり、生成された試着画像と商品の文字情報とをモニタ部３２に表示することが可能である。
このような画像生成システム１００、又は、この画像生成システム１００を用いた商品の販売方法、複合型店舗によれば、システムのユーザ（需要者）は、複合型店舗で提供される複数の商品（サングラスや、シャツ、ズボン、靴等）を実際に目で見て、或いは手で触れて、それらの中から気に入った商品の画像情報だけを取得することが可能である。そして、需要者は、店舗で提供される実際の商品と、画像合成技術により生成した試着画像とに基づいて、商品の購入を検討することができる。
【００６４】
特許文献１に記載の従来方式と比べて、需要者は、試着画像を見る前に、店舗で提供される実際の商品を目で見て、或いは手で触れて、その色合いや風合等を確認しているので、気に入った商品を自身が試着した際の姿を、より現実性を持ってイメージすることが可能である。
また、需要者は、自身が所有する服やアクセサリーを身に付けた状態の画像情報を個人情報として携帯端末２０に入力しておいた場合には、例えば、色合いや風合い、デザイン等の観点から、所有する服やアクセサリーに気に入った商品が合うかどうかを、より現実性を持ってイメージすることが可能である。一方、供給者（複合店舗内のメガネ店や、洋服店、靴店等）は、実際の人間の商品の選択手順に即して、需要者に商品の購入を勧めることができる。
【００６５】
なお、需要者は、この画像生成システム１００で生成した試着画像を見た後で、この試着画像を参考にして、今度は店舗内で本当に試着してみること（即ち、現空間での試着）も可能である。この段階での試着は、商品の色合いや風合い等を実際に確認し、さらに、試着画像を見た後なので、需要者は、現空間での試着をさほど繰り返すことなく、イメージにより近い商品をより簡単に見つけることが可能である。
【００６６】
この第１実施形態では、画像生成システム１００が本発明１，４，５，６，７，８，９，１０，１１，１２及び１４の何れか一の画像生成システムに対応している。また、タグ１０が本発明の非接触通信媒体に対応し、携帯端末２０が本発明のデータ通信装置に対応している。画像生成装置３０が本発明の画像生成装置に対応している。また、画像情報記憶部１２が本発明の画像情報記憶手段に対応し、文字情報記憶部１１が本発明の文字情報記憶手段に対応している。さらに、送信部１３が本発明の画像情報送信手段及び文字情報送信手段に対応している。また、受信部２１が本発明の画像情報受信手段及び文字情報受信手段に対応し、出力部２６が本発明の画像情報出力手段と、適用対象画像出力手段と、文字情報出力手段とに対応している。さらに、個人情報記憶部２５が本発明の適用対象画像記憶手段に対応し、モニタ部２４が本発明の文字情報表示手段に対応している。また、ＣＰＵ３３が本発明の画像生成手段に対応し、モニタ部３２が本発明の画像表示手段に対応している。
（２）第２実施形態
上述した第１実施形態では、タグに、当該タグに対応した商品の画像情報を記憶させる方法について説明した。しかしながら、商品の画像情報の代わりに、この商品の識別情報をタグに記憶させても良い。
【００６７】
図５は、本発明の第２実施形態に係る画像生成システム２００の構成例を示すブロック図である。この画像生成システム２００は、第１実施形態で説明した画像生成システム１００と同様、例えば複合型店舗で販売されている多数の商品の中から、需要者が１個又は２個以上の商品を選択し、選択した商品を需要者があたかも試着したかのような合成画像を生成するシステムである。この図５において、図１と同様の機能を有するものには同一符号を付し、その詳細な説明は省略する。
【００６８】
図５に示すように、この画像生成システム２００は、タグ２１０と、携帯端末２２０と、画像生成装置２３０と、を含んだ構成となっている。図５に示すタグ２１０は、図１に示すタグ２１０と同様、例えば電磁結合方式が採られ、そのアクセス方式はシングルアクセスモードである。このタグ２１０は、例えば、文字情報記憶部１１と、識別情報記憶部２１２と、送信部１３等とから構成されている。これらの中で、識別情報記憶部２１２は、当該タグ２１０に対応した商品の識別情報を格納する機能を有する。
【００６９】
このタグ２１０では、例えば、文字情報記憶部１１及び識別情報記憶部２１２はフラッシュメモリであり、同一チップ上に形成されている。また、送信部１３は、当該タグ２１０に携帯端末２２０が接近してきたときに、文字情報記憶部１１に格納された文字情報と、識別情報記憶部２１２に格納された識別情報とを、携帯端末２２０に送信する機能を有する。
【００７０】
また、図５に示す携帯端末２２０は、図１に示す携帯端末２０と同様、例えば、タグ２１０に対してＲ／Ｗ機能を備えた携帯電話や、同機能を備えたカードである。この携帯端末２２０は、例えば、受信部２１と、文字情報記憶部２２と、識別情報記憶部２２３と、モニタ部２４と、個人情報記憶部２５と、出力部２６と、ＣＰＵ２７及びＲＡＭ２８等とから構成されている。  
【００７１】
これらの中で、受信部２１は、タグ２１０から送信されてくる文字情報と識別情報とを受信する機能を有する。また、識別情報記憶部２２３は、タグ２１０から送信されてくる商品の識別情報を格納する機能を有する。さらに、出力部２６はＩ／Ｆ回路を含み、文字情報記憶部２２に格納された文字情報と、識別情報記憶部２２３に格納された識別情報と、個人情報記憶部２５に格納された個人情報とを画像生成装置２３０に向けて出力する機能を有する。
【００７２】
図５に示す画像生成装置２３０は、携帯端末２２０の出力部２６から出力される商品の識別情報に基づいて当該商品の画像情報を取得し、取得した画像情報と携帯端末２２０から出力された個人情報とに基づいて、商品の試着画像を生成する装置である。図５に示すように、この画像生成装置２３０は、入力部３１と、画像情報変換部２３５と、モニタ部３２と、ＣＰＵ３３と、ＲＡＭ３４等とから構成されている。
【００７３】
これらの中で、入力部３１は、Ｉ／Ｆ回路を含み、携帯端末２２０から出力された商品の文字情報と、識別情報と、個人情報とを受け取る機能を有する。また、画像情報変換部２３５は、ＣＰＵ３３の制御下で、入力部３１で受け取った識別情報をデータベースＤに送り、この識別情報に対応した画像情報（即ち、タグ２１０に対応した商品の画像情報）をデータベースＤから受け取る機能を有する。ここで、データベースＤとは、例えば通信回線を介して画像生成装置２３０に接続されたネットワークサーバ、又は、画像生成装置２３０での読み込み可能な光ディスク等のことである。光ディスクは商品の画像情報が記録した状態で、例えば商品を販売する店舗等から有償、又は無償で頒布する。
【００７４】
ＣＰＵ３３は、データを転送するための信号線を介して、入力部３１、画像情報変換部２３５、モニタ部３２とそれぞれ相互にかつデータ授受可能に接続されている。このＣＰＵ３３は、識別情報に基づいてデータベースＤから取得した商品の画像情報と、携帯端末２２０から取得した個人情報とに基づいて、需要者が商品を試着した際の試着画像を合成画像技術により生成する機能を有する。そして、生成した試着画像をモニタ部３２に表示させる機能を有する。
【００７５】
このような画像生成システム２００を用いて商品を販売する場合には、図２に示したように、各テナントの店員は、その店で取り扱う商品にタグ２１０を１個１個取り付ける。もちろん、第１実施形態で説明したように、商品を収納するケースＣや、商品を並べた陳列棚Ｓに、これらの商品に対応させたタグ２１０を貼り付けても良い。そして、店員は、Ｒ／Ｗ機能を有するデータ通信装置を用いて、商品に対応させたタグ２１０に当該商品に関する文字情報と、識別情報とを記憶させる。この作業により、商品に関する文字情報は文字情報記憶部１１（図５参照。）に格納され、商品の識別情報は識別情報記憶部２１２（図５参照。）に格納される。
【００７６】
一方、需要者は、タグ２１０から当該タグ２１０に対応した商品の識別情報を携帯端末２２０で読取る。そして、この読取った識別情報を画像生成装置２３０に入力させて、タグ２１０に対応した商品の画像情報を例えばインターネットからダウンロードする。
このように、本発明の第２実施形態に係る画像生成システム２００によれば、タグ２１０は、商品の識別情報と文字情報とを記憶することが可能であり、携帯端末２２０が接近してきたときにこの携帯端末２２０に対して商品の識別情報と文字情報とを送信することが可能である。携帯端末２２０は、タグ２１０から送信された商品の識別情報と文字情報とを受信することが可能であり、受信した商品の識別情報と文字情報とを画像生成装置２３０に出力することが可能である。また、携帯端末２２０は、容姿等の個人情報を記憶しておき、この個人情報を画像生成装置２３０に出力することが可能である。
【００７７】
画像生成装置２３０は、携帯端末２０から出力された商品の識別情報をデータベースＤに送信して、この商品の画像情報を取得することが可能である。そして、この画像生成装置２３０は、データベースＤから取得した商品の画像情報と、携帯端末２２０から取得した容姿を含む画像情報とに基づいて試着画像を生成することが可能であり、生成された試着画像と商品の文字情報とをモニタ部に表示することが可能である。
【００７８】
このような画像生成システム２００、又は、この画像生成システム２００を用いた商品の販売方法、複合型店舗によれば、第１実施形態と同様に、需要者は、複合型店舗で提供されるサングラスや、シャツ、ズボン、靴等を実際に目で見て、或いは手で触れて、それらの中から気に入った商品の画像情報だけを取得することが可能である。そして、需要者は、店舗で提供される実際の商品と、画像合成技術により生成した試着画像とに基づいて、これら商品の購入を検討することができる。
【００７９】
特許文献１に記載された従来方式と比べて、試着画像を見る前に、店舗で提供される実際の商品を目で見て、或いは手で触れて、その色合いや風合等を確認しているので、気に入った商品を自身が試着した際の姿を、より現実性を持ってイメージすることが可能である。一方、供給者（複合店舗内のメガネ店や、洋服店、靴店等）は、実際の人間の商品の選択手順に即して、需要者に商品の購入を勧めることができる。
【００８０】
また、第１実施形態と比べて、タグ２１０に記憶させる情報量を少なくすることができるので、タグ２１０と携帯端末２２０との間で情報伝達に要する時間を短縮することが可能である。
この第２実施形態では、画像生成システム２００が本発明２，４，５，６，７，８，９，１０，１１，１３及び１５の何れか一の画像生成システムに対応している。また、タグ２１０が本発明の非接触通信媒体に対応し、携帯端末２２０が本発明のデータ通信装置に対応している。画像生成装置２３０が本発明の画像生成装置に対応している。また、識別情報記憶部２１２が本発明の識別情報記憶手段に対応し、文字情報記憶部１１が本発明の文字情報記憶手段に対応している。さらに、送信部１３が本発明の識別情報送信手段及び文字情報送信手段に対応している。また、受信部２１が本発明の識別情報受信手段及び文字情報受信手段に対応し、出力部２６が本発明の識別情報出力手段と、適用対象画像出力手段と、文字情報出力手段とに対応している。さらに、個人情報記憶部２５が本発明の適用対象画像記憶手段に対応し、モニタ部２４が本発明の文字情報表示手段に対応している。また、ＣＰＵ３３が本発明の画像生成手段に対応し、モニタ部３２が本発明の画像表示手段に対応している。
【００８１】
なお、図６（Ａ）及び（Ｂ）に示すように、携帯端末２０，２２０に、ＣＣＤカメラ又は、ＣＭＯＳセンサ２９等の撮像手段を設けることにより、例えば、このＣＭＯＳセンサ２９で自身の画像を撮像することが可能である。このような構成によれば、携帯端末２０，２２０に自身の容姿等の個人情報を直接取り込むことができるので、個人情報の取得が簡単、便利である。この場合には、ＣＭＯＳセンサ２９が本発明の適用対象画像情報取得手段に対応している。
（３）第３実施形態
上述した第２実施形態では、商品の識別情報を受け取った画像生成装置２３０が、この識別情報に基づいて商品の画像情報を取得する場合について説明した。しかしながら、本発明では、画像生成装置ではなく、携帯端末がタグから受信した識別情報に基づいて商品の画像情報を取得する構成でも良い。
【００８２】
図７は、本発明の第３実施形態に係る画像生成システム３００の構成例を示すブロック図である。この画像生成システム３００は、第１、第２実施形態で説明した画像生成システム１００，２００と同様、例えば複合型店舗で販売されている多数の商品の中から、需要者が１個又は２個以上の商品を選択し、選択した商品を需要者があたかも試着したかのような合成画像を生成するシステムである。この図７において、図１，５，６（Ａ）又は６（Ｂ）と同様の機能を有するものには同一符号を付し、その詳細な説明は省略する。
【００８３】
また、この画像生成システム３００は、タグと、携帯端末と、画像生成装置と、を含んだ構成となっており、これらの中で、タグは画像生成システム２００のタグ２１０（図５参照。）と同一であり、かつ画像生成装置は画像生成システム１００の画像生成装置３０（図１参照。）と同一である。従って、図７において、画像生成システム３００を構成するタグと画像生成装置の、それら両方の図示を省略する。
【００８４】
図７に示す携帯端末３２０は、例えば、タグに対してＲ／Ｗ機能を備えた携帯電話や、同機能を備えたカードである。この携帯端末３２０は、例えば、受信部２１と、文字情報記憶部２２と、識別情報記憶部２２３と、画像情報変換部３２１と、画像情報記憶部３２３と、モニタ部２４と、個人情報記憶部２５と、出力部２６と、ＣＰＵ２７及びＲＡＭ２８等とから構成されている。  
【００８５】
これらの中で、画像情報変換部３２１は、識別情報記憶部２２３に格納された識別情報をデータベースＤに送り、この識別情報に対応した画像情報をデータベースＤから受け取る機能を有する。このような画像情報変換部３２１のデータベースＤに対する識別情報の送受信は、ＣＰＵ２７の制御下で行われる。また、画像情報記憶部３２３は、画像情報変換部３２１によってデータベースＤから取得した商品の画像情報を格納する機能を有する。さらに、出力部２６はＩ／Ｆ回路を含み、文字情報記憶部２２に格納された文字情報と、画像情報記憶部３２３に格納された商品の画像情報と、個人情報記憶部２５に格納された個人情報とを、画像生成装置３０（図１参照。）に向けて出力する機能を有する。
【００８６】
このように、本発明の第３実施形態に係る画像生成システム３００によれば、携帯端末３２０は、タグ２１０（図５参照。）から送信された商品の識別情報を受信することが可能であり、受信した商品の識別情報に基づいてデータベースＤから商品の画像情報を取得することが可能であり、取得した商品の画像情報を画像生成装置３０（図１参照。）に出力することが可能である。
【００８７】
このような画像生成システム３００、又は、この画像生成システム３００を用いた商品の販売方法、複合型店舗によれば、第１、第２実施形態と同様に、需要者は、複合型店舗で提供される例えばサングラス、シャツ、ズボン、靴など、複数の商品の中から気に入った商品の画像情報だけを取得することが可能である。そして、需要者は、店舗で提供される実際の商品と、画像合成技術により生成した試着画像とに基づいて、商品の購入を検討することができる。第１、第２実施形態と同様に、需要者は、気に入った商品を自身が試着した際の姿を、より現実性を持ってイメージすることが可能である。一方、供給者（複合店舗内のメガネ店や、洋服店、靴店等）は、実際の人間の商品の選択手順に即して、需要者に商品の購入を勧めることができる。
【００８８】
また、第１実施形態と比べて、タグ２１０と携帯端末３２０との間で情報伝達に要する時間を短縮することが可能である。
この第３実施形態では、画像生成システム３００が本発明３，４，５，６，７，８，９，１０，１１，１３及び１５の何れか一の画像生成システムに対応している。また、携帯端末２２０が本発明のデータ通信装置に対応し、受信部２１が本発明の識別情報受信手段及び文字情報受信手段に対応している。さらに、出力部２６が本発明の画像情報出力手段と、適用対象画像出力手段と、文字情報出力手段とに対応し、個人情報記憶部２５が本発明の適用対象画像記憶手段に対応している。また、モニタ部２４が本発明の文字情報表示手段に対応し、画像情報変換部３２１が本発明の画像情報取得手段に対応している。
【００８９】
なお、上述の第１、第２及び第３実施形態では、商品の一例として、サングラスや、シャツ、ズボン、靴等の物品について説明したが、本発明の商品は物品に限られることはなく、本発明の商品は、例えばヘアースタイル、メイク等のサービスも含むものである。商品がネイルメイク等の美容サービスである場合には、例えば収納ケースに入れられた「ネイルメイクを施した爪型モデル」にタグを対応させる。
【００９０】
また、本発明の商品は、身に付けるものに限られることはなく、例えば家具でも良い。この場合には、需要者は、自分の部屋に関する画像情報を個人情報とし、この個人情報と、家具の画像情報とに基づいて、合成画像を生成する。このような構成によれば、需要者は、気に入った家具が自分の部屋に置かれた状態を、より現実性を持ってイメージすることが可能である。また、需要者は、自分の部屋のサイズと家具のサイズとをいちいち比較しなくても、その家具が自分の部屋に収容可能か否かを合成画像から簡単に判断することが可能である。
【００９１】
或いは、本発明の商品は、例えばガーデニング用の鉢植えでも良い。この場合には、需要者は自分の庭園を携帯端末のＣＭＯＳセンサ２７（図６（Ａ）、６（Ｂ）、図７参照。）や、デジタルカメラ等で撮影し、撮影した庭園の画像情報を個人情報とする。そして、この個人情報と、鉢植えの画像情報とに基づいて合成画像を生成する。このような構成によれば、需要者は、気に入った鉢植えが自分の庭園に置かれた状態を、より現実性を持ってイメージすることが可能である。また、需要者は、気に入った鉢植えが自分の庭園の雰囲気や、色彩等に馴染むか否かを簡単に判断することが可能である。
【００９２】
さらに、上述の第１、第２及び第３実施形態では、画像生成システムをメガネ、サングラス、シャツ、ズボン及び靴等を取り扱う複合型店舗に適用する場合について説明した。しかしながら、本発明の適用対象は複合型店舗に限られることはなく、例えばそれぞれが独立したメガネ店、紳士服店、靴店等の複数の個人商店でも良い。これら個々に独立した個人商店に上記画像生成システムをそれぞれ適用することで、現空間では困難な「複数の個人商店でそれぞれ別個に販売されている複数の商品を組み合わせた試着」を仮想空間で実現することができる。
【図面の簡単な説明】
【００９３】
【図１】第１実施形態に係る画像生成システム１００の構成例を示すブロック図。
【図２】画像生成システム１００の運用例を示す概念図（その１）。
【図３】画像生成システム１００の運用例を示す概念図（その２）。
【図４】需要者による画像生成の方法を示すフローチャート。
【図５】第２実施形態に係る画像生成システム２００の構成例を示すブロック図。
【図６】携帯端末２０，２２０の他の構成例を示すブロック図。
【図７】第３実施形態に係る画像生成システム３００の構成例を示すブロック図。
【符号の説明】
【００９４】
１０，２１０  タグ、１１  文字情報記憶部、１２  画像情報記憶部、１３  送信部、２０，２２０，３２０  携帯端末、２１  受信部、２２  文字情報記憶部、２３，３２３  画像情報記憶部、２４  モニタ部（ＬＣＤ）、２５  個人情報記憶部、２６  出力部、２７  ＣＰＵ、２８  ＲＡＭ、３０，２３０  画像生成装置、３１  入力部、３２  モニタ部（ＬＣＤ）、３３  ＣＰＵ、３４  ＲＡＭ、１００，２００，３００  画像生成システム、２１２  識別情報記憶部、２２３  識別情報記憶部、２３５，３２３  画像情報変換部、Ｄ  データベース、Ｃ  ケース、Ｓ  陳列棚
【図１】
2005275906.tif 000003
【図２】
2005275906.tif 000004
【図３】
2005275906.tif 000005
【図４】
2005275906.tif 000006
【図５】
2005275906.tif 000007
【図６】
2005275906.tif 000008
【図７】
2005275906.tif 000009